(57)【要約】 【課題】  経路検索時において、複数の経路検索結果が存在する場合、利便性の高い経路検索結果をユーザに提示するシステムを提供すること。【解決手段】  ユーザの入出力端末から受け付けた出発地から到着地に到る経路を探索する経路探索処理手段と、この経路検索処理手段からの経路検索結果を前記人気経路データベース内の人気経路情報と突合せ、人気度数の高い経路を優先的に前記入出力端末に表示させる人気経路表示処理手段と、前記入出力端末に表示した経路のうちユーザが選択した経路を認識し、その選択経路の人気度数を人気経路データベース内の人気経路情報に加算する人気度数更新処理手段と、検索結果経路を使用したユーザから前記選択経路の利便性評価値を前記ユーザの入出力端末から受付け、その受け付けた利便性評価値に基づき前記人気経路データベース内の人気経路の人気度数を増減する経路評価反映処理手段とを備える。【選択図】      図１
2011148323.tif 000002
【特許請求の範囲】
【請求項１】
人気経路情報を格納した人気経路データベースと、ユーザの入出力端末から有線ネットワークまたは無線ネットワークを介して受け付けた出発地と到着地の情報に基づき出発地から到着地に到る経路を探索する経路探索処理手段と、この経路検索処理手段からの経路検索結果を前記人気経路データベース内の人気経路情報と突合せ、人気度数の高い経路を優先的に前記入出力端末に表示させる人気経路表示処理手段と、前記入出力端末に表示した経路のうちユーザが選択した経路を認識し、その選択経路の人気度数を人気経路データベース内の人気経路情報に加算する人気度数更新処理手段と、検索結果経路を使用したユーザから前記選択経路の利便性評価値を前記ユーザの入出力端末から受付け、その受け付けた利便性評価値に基づき前記人気経路データベース内の人気経路の人気度数を増減する経路評価反映処理手段とを備えることを特徴とする人気経路表示システム。
【請求項２】
人気経路情報を格納した人気経路データベースを備えた人気経路表示システムが、
ユーザの入出力端末から有線ネットワークまたは無線ネットワークを介して受け付けた出発地と到着地の情報に基づき出発地から到着地に到る経路を探索するステップと、この経路検索結果を前記人気経路データベース内の人気経路情報と突合せ、人気度数の高い経路を優先的に前記入出力端末に表示させるステップと、前記入出力端末に表示した経路のうちユーザが選択した経路を認識し、その選択経路の人気度数を人気経路データベース内の人気経路情報に加算するステップと、検索結果経路を使用したユーザから前記選択経路の利便性評価値を前記ユーザの入出力端末から受付け、その受け付けた利便性評価値に基づき前記人気経路データベース内の人気経路の人気度数を増減するステップとを備えることを特徴とする人気経路表示方法。
【請求項３】
人気経路情報を格納した人気経路データベースを備えたコンピュータを、
ユーザの入出力端末から有線ネットワークまたは無線ネットワークを介して受け付けた出発地と到着地の情報に基づき出発地から到着地に到る経路を探索する経路探索処理手段と、この経路検索処理手段からの経路検索結果を前記人気経路データベース内の人気経路情報と突合せ、人気度数の高い経路を優先的に前記入出力端末に表示させる人気経路表示処理手段と、前記入出力端末に表示した経路のうちユーザが選択した経路を認識し、その選択経路の人気度数を人気経路データベース内の人気経路情報に加算する人気度数更新処理手段と、検索結果経路を使用したユーザから前記選択経路の利便性評価値を前記ユーザの入出力端末から受付け、その受け付けた利便性評価値に基づき前記人気経路データベース内の人気経路の人気度数を増減する経路評価反映処理手段として機能させることを特徴とする経路表示プログラム。
【発明の詳細な説明】
【技術分野】
【０００１】
本発明は、経路検索時において、複数の経路検索結果が存在する場合、その検索結果より人気経路を優先的に表示する方法に関するものである。
【背景技術】
【０００２】
あるユーザが交通機関等を利用し出発地から目的地まで移動する場合、そのルートを知るために経路検索ソフトを利用し経路を探索することが考えられる。この際、複数の経路検索結果が得られる場合が多々あり、ユーザは、最短ルート、最短時間、最小料金を考え、自分が最適だと感じた経路検索結果を選択することとなる。
なお、本発明に関連する公知技術文献としては下記の特許文献１がある。
【先行技術文献】
【特許文献】
【０００３】
【特許文献１】特開２００４−１７２１
【発明の概要】
【発明が解決しようとする課題】
【０００４】
しかし、実際に選択した経路検索結果を利用してみると、乗換えの際に距離があり時間がかかってしまう等、ユーザが選択した検索結果が必ずしも利便性が高いとは限らないことがある。利便性の高い経路を予想する一つの手段として、過去に経路検索ソフトを利用した多くのユーザにより選択された経路を人気経路としてユーザに提示する方法が考えられる。
本発明の目的は、過去に経路検索ソフトを利用した多くのユーザにより選択された経路を人気経路として優先的に表示することができる人気経路表示システム及び方法並びにプログラムを提供することにある。
【課題を解決するための手段】
【０００５】
上記目的を達成するために、本発明に係る人気経路表示システムは、人気経路情報を格納した人気経路データベースと、ユーザの入出力端末から有線ネットワークまたは無線ネットワークを介して受け付けた出発地と到着地の情報に基づき出発地から到着地に到る経路を探索する経路探索処理手段と、この経路検索処理手段からの経路検索結果を前記人気経路データベース内の人気経路情報と突合せ、人気度数の高い経路を優先的に前記入出力端末に表示させる人気経路表示処理手段と、前記入出力端末に表示した経路のうちユーザが選択した経路を認識し、その選択経路の人気度数を人気経路データベース内の人気経路情報に加算する人気度数更新処理手段と、検索結果経路を使用したユーザから前記選択経路の利便性評価値を前記ユーザの入出力端末から受付け、その受け付けた利便性評価値に基づき前記人気経路データベース内の人気経路の人気度数を増減する経路評価反映処理手段とを備えることを特徴とする。
【０００６】
また、本発明に係る人気経路表示方法は、人気経路情報を格納した人気経路データベースを備えた人気経路表示システムが、
ユーザの入出力端末から有線ネットワークまたは無線ネットワークを介して受け付けた出発地と到着地の情報に基づき出発地から到着地に到る経路を探索するステップと、この経路検索結果を前記人気経路データベース内の人気経路情報と突合せ、人気度数の高い経路を優先的に前記入出力端末に表示させるステップと、前記入出力端末に表示した経路のうちユーザが選択した経路を認識し、その選択経路の人気度数を人気経路データベース内の人気経路情報に加算するステップと、検索結果経路を使用したユーザから前記選択経路の利便性評価値を前記ユーザの入出力端末から受付け、その受け付けた利便性評価値に基づき前記人気経路データベース内の人気経路の人気度数を増減するステップとを備えることを特徴とする。
【０００７】
また、本発明に係る人気経路表示プログラムは、人気経路情報を格納した人気経路データベースを備えたコンピュータを、ユーザの入出力端末から有線ネットワークまたは無線ネットワークを介して受け付けた出発地と到着地の情報に基づき出発地から到着地に到る経路を探索する経路探索処理手段と、この経路検索処理手段からの経路検索結果を前記人気経路データベース内の人気経路情報と突合せ、人気度数の高い経路を優先的に前記入出力端末に表示させる人気経路表示処理手段と、前記入出力端末に表示した経路のうちユーザが選択した経路を認識し、その選択経路の人気度数を人気経路データベース内の人気経路情報に加算する人気度数更新処理手段と、検索結果経路を使用したユーザから前記選択経路の利便性評価値を前記ユーザの入出力端末から受付け、その受け付けた利便性評価値に基づき前記人気経路データベース内の人気経路の人気度数を増減する経路評価反映処理手段として機能させることを特徴とする。
【発明の効果】
【０００８】
本発明によれば、次のような効果がある。
（１）出発地から目的地までの複数の検索結果から、過去に多く選択された経路を優先的に人気経路として表示できる。
（２）人気経路は、利便性の高い経路であると考えられるため、ユーザにとって利便性の高い経路を提供できる。
（３）実際に検索結果経路を使用したユーザから経路の利便性評価を受け付け、人気経路の人気度に反映することにより、本システム人気経路の利便性確度を向上できる。
【図面の簡単な説明】
【０００９】
【図１】本発明に係る人気経路表示システムの実施の形態を示すシステム構成図である。
【図２】人気経路を示す情報のデータ構成図である。
【図３】入出力端末に表示される経路検索時における人気経路の優先表示方法の具体例である。
【図４】人気経路表示処理の概要を示すフローチャートである。
【図５】人気度数更新処理の概要を示すフローチャートである。
【図６】経路評価反映処理の概要を示すフローチャートである。
【発明を実施するための形態】
【００１０】
以下、本発明を適用した人気経路表示システムの一実施の形態について説明する。
図１は、本発明の実施の形態の一例を示すシステム構成図であり、人気経路データベース（ＤＢ）２０を備えた人気経路表示処理部１１、人気度数更新処理部１２、経路評価反映処理部１３から構成される人気経路表示システム１０である。
この人気経路表示システム１０は、ユーザからの情報を受け付ける入出力端末３０と、人気経路表示システム１０と入出力端末間３０とのデータ送受信を可能とするデータ送受信手段４０と、ユーザの要求により出発地と到着地の経路を検索する経路検索ソフト処理部５０とを備えている。データ送受信手段４０は、例えば無線ネットワークまたは有線ネットワークで構成されている。
【００１１】
以下、人気経路表示の順序に従い、各処理について説明する。まず、人気経路を表示する処理について示す。
ユーザは、入出力端末３０より出発地、目的地、そして、必要があれば、複数の経由地を入力する。この入力情報は、データ送受信手段４０を介して経路検索ソフト処理部５０へ渡される。経路検索ソフト処理部５０では、受け付けた入力情報を元に経路検索を実施し、複数の経路検索結果を導き出し、人気経路表示システム１０の人気経路表示処理部１１へ渡す。
【００１２】
人気経路表示処理部１１では、人気経路ＤＢ２０を参照し、人気度の高い経路検索結果を優先的に表示するよう並び替えを行い、入出力端末３０に表示させる。
人気経路ＤＢ２０に格納されている人気経路情報は、図２に示すように、出発地２１、目的地２２、複数の経由地２３（経由地１、経由地２、…、経由地ｎ）、人気度数２４の各エリアデータから構成され、経路別に、出発地、目的地、経由地をキーとして、その経路の人気度を人気度数として数値で登録可能としたものである。
ここで、入出力端末３０に表示される経路検索時における人気経路の優先表示方法の具体例を図３に示す。
【００１３】
ユーザは、入出力端末３０に表示されている経路検索画面３１より出発地３２、目的地３３、必要があれば、複数の経由地３４を入力し検索実行ボタン３５を押下する。人気経路表示システム１０の人気経路表示処理部１１では、経路検索ソフト処理部５０より受け取った経路検索結果を人気度の高い経路検索結果を優先的に表示するよう並び替えを行い、経路検索画面へ渡す。
経路検索画面３１では、人気経路表示処理部より受け取った経路検索結果の順番で経路検索結果表示タブ３６へ表示する。（図３の例の場合、タブ経路１が最も人気度の高い経路であり、タブ経路４が最も人気度の低い経路。）また、印刷ボタン３７を押下することにより、経路検索結果の印刷も可能とする。
【００１４】
図４は、人気経路表示処理部の処理の概要を示すフローチャートである。
人気経路表示処理部１１は、経路検索ソフト処理部５０より渡された経路検索結果の件数分だけステップ４２〜ステップ４４の処理を繰り返し、人気経路ＤＢ２０に登録されている人気経路情報との突合せを行う。全ての経路検索結果について突合せが完了した場合、ステップ４５に移動する（ステップ４１）。
経路検索結果の出発地、目的地、経由地と合致する人気経路情報が人気経路ＤＢ２０に存在するかどうか突合せを行う。存在する場合は、ステップ４３に移動し、存在しない場合は、ステップ４４に移動する（ステップ４２）。
【００１５】
人気経路情報が人気経路ＤＢ２０に存在する場合は、その人気度数２４を取得し、突合せを行った経路検索結果の人気度数とし、ステップ４１に移動する（ステップ４３）。
人気経路情報が人気経路ＤＢ２０に存在しない場合は、突合せを行った経路検索結果の人気度数を０とし、ステップ４１に移動する（ステップ４４）。
すべての経路検索結果をステップ４３又はステップ４４にて取得した人気度数の降順に並び替えを行い、入出力端末３０に表示する。その後、人気度数更新処理部へ移動する（ステップ４５）。
【００１６】
経路検索結果を入出力端末３０に表示した後、人気度数更新処理部１２では、ユーザがどの経路検索結果を選択したかを認識する。認識後、ユーザ選択経路と人気経路ＤＢ２０内の人気経路情報との突合せを行い、存在する場合はその人気経路の人気度数を増加させ、存在しない場合は、新規人気経路情報として人気経路ＤＢ２０に登録する。
【００１７】
図５は、人気度数更新処理部１２の処理の概要を示すフローチャートである。
人気度数更新処理部１２は、入出力端末３０を監視し、ユーザがどの経路検索結果を選択したかを認識する。ユーザが経路検索結果を選択したと認識するのは、ユーザが以下の条件の何れかを実施した場合である。
・経路検索結果を印刷
・経路検索結果を保存
・経路検索結果を選択表示し、一定時間経過（例：５分以上経過）
・経路検索結果を選択表示し、入出力端末の処理を終了
【００１８】
経路検索結果をユーザが選択したと認識する条件が発生した場合、ステップ５２に移動する。経路検索結果をユーザが選択したと認識する条件が発生していない場合、条件が発生するまで待機する（ステップ５１）。
ユーザ選択経路の出発地、目的地、経由地と合致する人気経路情報が人気経路ＤＢ２０に存在するかどうか突合せを行う。存在する場合は、ステップ５３に移動し、存在しない場合は、ステップ５４に移動する（ステップ５２）。
【００１９】
ユーザ選択経路と合致する人気経路情報が人気経路ＤＢ２０に存在する場合は、その人気経路情報の人気度数２４に加算を行う。尚、加算値は、ステップ５１にてユーザが経路検索結果を選択したと認識した条件により重み付けを行う（例：経路検索結果を印刷した場合の加算値は“１０”、経路検索結果を選択表示し、一定時間経過した場合の加算値は“５”等）。その後、処理を終了する（ステップ５３）。
【００２０】
ユーザ選択経路と合致する人気経路情報が人気経路ＤＢ２０に存在しない場合は、ユーザ選択経路の出発地、目的地、経由地を新規人気経路情報として人気経路ＤＢ２０に登録を行う。登録時の人気度数初期値については、ステップ５１にてユーザが経路検索結果を選択したと認識した条件により重み付けを行う（例：経路検索結果を印刷した場合の人気度数初期値は“１０”、経路検索結果を選択表示し、一定時間経過した場合の人気度数初期値は“５”等）。その後、処理を終了する（ステップ５４）。
【００２１】
経路評価反映処理部１３では、ユーザが経路検索結果を選択し、経路を実際に使用した後、その経路が本当に利便性の高い経路であったかどうかの評価を入出力端末３０より受け付ける。ユーザが入出力端末３０より選択した経路検索結果と、人気経路ＤＢ２０内の人気経路情報との突合せを行い、合致した人気経路情報の人気度数をユーザが入出力端末３０より入力した経路の利便性評価により増減させる。
【００２２】
図６は、経路評価反映処理部１３の処理の概要を示すフローチャートである。
ユーザは、入出力端末３０より、以前に経路検索を行った出発地、目的地を入力する。ユーザ入力後、出発地、目的地と合致する人気経路情報が人気経路ＤＢ２０に存在するかどうか突合せを行う。存在する場合は、ステップ６２に移動し、存在しない場合は、ステップ６５に移動する（ステップ６１）。
ユーザが入力した、出発地、目的地と合致する人気経路情報が人気経路ＤＢ２０に存在する場合、存在した全ての人気経路情報を抽出し、入出力端末３０に表示する（ステップ６２）。
【００２３】
ユーザは、入出力端末３０に表示されている人気経路情報より、実際に使用した経路検索結果を選択し、その経路の利便性評価を入力する（ステップ６３）。
ユーザが入出力端末より選択した人気経路情報と合致する、人気経路ＤＢ２０内の人気経路情報の人気度数を、ユーザが入出力端末３０より入力した経路の利便性評価により増減し、更新する。尚、増減値は、ユーザが評価した結果により重み付けを行う（例：経路検索結果をユーザが“便利”と評価した場合人気度数に値“５”を加算、“大変不便”と評価した場合人気度数に値“１０”を減算等）。その後、処理を終了する（ステップ６４）。
【００２４】
ユーザが入力した、出発地、目的地と合致する人気経路情報が人気経路ＤＢ２０に存在しない場合は、入力間違いをユーザに知らせ、出発地、目的地の再入力を促す（ステップ６５）。
なお、実施形態において、経路検索ソフト処理部５０は、入出力端末３０内に組み込む構成であってもよい。
【００２５】
以上のように、本実施の形態の人気経路表示システムによれば、次のような効果がある。
（１）出発地から目的地までの複数の検索結果から、過去に多く選択された経路を優先的に人気経路として表示できる。
（２）人気経路は、利便性の高い経路であると考えられるため、ユーザにとって利便性の高い経路を提供できる。
（３）実際に検索結果経路を使用したユーザから経路の利便性評価を受け付け、人気経路の人気度に反映することにより、本システム人気経路の利便性確度を向上できる。
【符号の説明】
【００２６】
１０    人気経路表示システム
１１    人気経路表示処理部
１２    人気度数更新処理部
１３    経路評価反映処理部
３０    入出力端末
５０    経路検索ソフト処理部
【図１】
2011148323.tif 000003
【図２】
2011148323.tif 000004
【図３】
2011148323.tif 000005
【図４】
2011148323.tif 000006
【図５】
2011148323.tif 000007
【図６】
2011148323.tif 000008